(57)【要約】  治療器具を個人に固定する際に使用するための患者治療室での使用に適した医療の治療フォームアセンブリ（１０）。上記フォームアセンブリは、介護者によって容易に除去されかつ張付けされ得る、独自サイズの複数の細長片（３２、３４）を具備する薄層状感圧性アセンブリを含む。
2013518685.tif 000002
【特許請求の範囲】
【請求項１】
医療用フォームアセンブリであって、
長方形担体シートであって、前記長方形担体シートは横方向に伸長する第１および第２の縁部と長手方向に伸長する第１および第２の側部とを具備し、前記長方形シートは上表面および下表面を具備する、長方形担体シートと、
前記長方形担体シートの実質的に上表面全面にわたって適用される剥離剤コーティングと、
上縁部および底縁部を具備する少なくとも第１および第２の接着領域を形成するために、前記長方形シートの上表面上の前記剥離剤コーティングの全面にわたって適用される接着剤のパターンと、
前記第１および第２の接着領域の各々の少なくとも前記上縁部に沿って設けられた第１および第２の剥離ゾーンと、
前記長方形担体シートの実質的に完全な全面にわたって並置された長方形の印刷可能なシートであって、前記長方形の印刷可能なシートは、前記第１および第２の接着領域の各々の全面にわたって一連の取外し可能な細長片を形成するために、長手方向に伸長する前記第１および第２の、前記長方形担体シートの側部に実質的に平行に走る複数の切線を備える、長方形の印刷可能なシートと、
前記長方形担体シートの横方向に伸長する縁部に実質的に平行に伸長する、横方向に伸長する複数の切線であって、第１組の横方向に伸長する切線は、前記第１の接着領域の前記上縁部に沿う前記第１の剥離ゾーンを画定し、第２組の横方向に伸長する切線は、前記第２の接着領域の上縁部に沿う第２の剥離ゾーンを画定する、横方向に伸長する複数の切線と、
を有する、医療用フォームアセンブリ。
【請求項２】
前記長方形担体シートは、約８．５インチ×１１インチの寸法を有する、請求項１に記載の医療用フォームアセンブリ。
【請求項３】
前記第１および第２の接着ゾーンの各々の全面にわたる、前記一連の取外し可能な細長片は、実質的に等しい長さを有する、請求項１に記載の医療用フォームアセンブリ。
【請求項４】
前記第１および第２の接着剤ゾーンの各々にわたる、前記一連の取外し可能な細長片は、少なくとも２つの異なった幅を有する細長片を含む、請求項１に記載の医療用フォームアセンブリ。
【請求項５】
前記２つの異なった幅の１つは約１インチである、請求項４に記載の医療用フォームアセンブリ。
【請求項６】
前記２つの異なった幅の１つは約０．５インチである、請求項４に記載の医療用フォームアセンブリ。
【請求項７】
前記接着剤剥離ゾーンの各々は約０．２５インチ幅である、請求項１に記載の医療用フォームアセンブリ。
【請求項８】
前記取外し可能な細長片の前記長さは約５．２５インチである、請求項３に記載の医療用フォームアセンブリ。
【請求項９】
前記一連の取外し可能な細長片の各々は、幅よりも大きな長さを有する、請求項１に記載の医療用フォームアセンブリ。
【請求項１０】
前記一連の取外し可能な細長片は、互いに異なる第１および第２の寸法を有する細長片を含む、請求項１に記載の医療用フォームアセンブリ。
【請求項１１】
前記剥離ゾーンは、前記一連の取外し可能な細長片の各々を容易に除去するためのつまみを備えている、請求項１に記載の医療用フォームアセンブリ。
【請求項１２】
前記剥離ゾーンの各々は、約０．２５インチ幅×８．５インチの寸法を有する、請求項１に記載の医療用フォームアセンブリ。
【請求項１３】
医療器具の固定に使用するための感圧性薄層状アセンブリであって、
上面および底面と、第１および第２の端部と、第１および第２の側部とを具備する第１シートと、
前記第１シートの前記上面の全面にわたって適用される剥離剤コーティングと、
前記第１シートの上面上の前記剥離剤コーティング全面にわたって適用される感圧性接着剤のパターンと、
前記感圧性接着剤のパターンの全面にわたって適用される第２シートであって、前記第２シートは長手方向に伸長する複数のカット、および前記長手方向に伸長するカットに実質的に垂直に走る、横方向に伸長する一連のカットを備える、第２シートと、
を有し、
長手方向に伸長する前記複数のカットは、少なくとも第１および第２の寸法を有する、一連の第１および第２の取外し可能な細長片を画定し、前記第１の寸法は第１の幅および長さを有し、かつ前記第２の寸法は前記第１の幅未満である第２の幅および長さを有し、
横方向に伸長する前記一連のカットは第１および第２の接着剤無しの領域を画定すると共に、前記第１の接着剤無しの領域は細長片の第１領域の前縁部を画定し、前記第２の接着剤無しの領域は細長片の第２領域の前縁部を画定し、かつ
細長片の前記第１および第２の領域は面積が実質的に等しい、感圧性薄層状アセンブリ。
【請求項１４】
前記第１および第２の寸法の各々の前記長さは実質的に等しい、請求項１３に記載の感圧性薄層状アセンブリ。
【請求項１５】
前記第１の幅寸法は約１インチである、請求項１３に記載の感圧性薄層状アセンブリ。
【請求項１６】
前記第２の幅寸法が約０．５インチである、請求項１３に記載の感圧性薄層状アセンブリ。
【請求項１７】
前記感圧性接着剤が、永久的な、取外し可能な、かつ取付け位置可変な接着剤を含むグループから選択される、請求項１３に記載の感圧性薄層状アセンブリ。
【請求項１８】
前記第１および第２の接着剤無し領域が約０．２５インチ幅である、請求項１３に記載の感圧性薄層状アセンブリ。
【請求項１９】
前記接着剤無し領域がパターンコーティングによって形成される、請求項１３に記載の感圧性薄層状アセンブリ。
【請求項２０】
前記接着剤無しのゾーンが接着鈍化の方法によって形成される、請求項１３に記載の感圧性薄層状アセンブリ。
【発明の詳細な説明】
【技術分野】
【０００１】
［関連出願の相互参照］
本出願は２０１０年２月９日に申請された米国仮特許出願第６１／３０２，５９３号の利益を主張するものであり、参照によってその全体が本明細書に組み込まれる。
【０００２】
［技術分野］
本発明は、医療分野で使用するための、取外し可能な予めカットされた多数の細長片を提供する際に用いられるビジネス情報伝達担体に関する。
【背景技術】
【０００３】
様々な医療関連の環境における個人の治療では、通常、種々様々な医療装置、器具、製薬、および他の治療法を使用することが要求される。外科または治療の手術室での疾病または汚染の蔓延の可能性を減少させるために、通常、装置は再使用せず、かつ一旦患者または個人が治療を受けると、装置は処分されなければならない。
【０００４】
ＩＶバッグ、酸素および栄養供給チューブ、カテーテル、モニター装置フィードラインなどのようなある種の治療装置では、装置が患者または個人に取外し可能に装着されることが要求される。一般に、しばしばロールから供給される一片のテープは、供給元から引き裂かれ、その後にチューブを患者に固定するため、チューブまたはラインなどに張り付けられる。汚染の可能性をさらに減少させるための努力として、テープ・ロールの残りの部分は通常廃棄されるが、これは介護施設における付加的な無駄およびコストにつながっている。患者に異なった器具を保持または固定するために複数のサイズが必要な場合、その際には異なったサイズのテープ・ロールが必要になるが、それらは治療室で露出された後にはもちろん廃棄され、かつ廃棄されなければならず、付加的な無駄および費用につながっている。
【０００５】
加えて、医療サービス提供者によるテープ片の除去も困難な場合があり、特にサービス提供者が手術用手袋を着用していれば、テープの前縁部を、サービス提供者の手または指で容易にまたは即座に掴むことはできないが、それはサービス提供者が着用している可能性のあるラテックス製手袋の性質のためである。
【０００６】
したがって必要なことは、複数の取外し可能な細長片が治療室に納入され、必要な場合に容易に取外すことができかつ張付けできる、安価な納入システムである。
【発明の概要】
【発明が解決しようとする課題】
【０００７】
以下に説明する本発明の実施形態は、網羅的であることを意図せず、または以下の詳細な説明の中で開示された特定のフォームに発明を限定することを意図したものでもない。むしろ、実施形態は、当業者であれば本発明の原理および実施を認識しかつ理解し得るように、選ばれかつ説明されたものである。
【０００８】
本発明は、治療器具を個人に固定するための、患者治療室での使用に適切な、医療治療用フォームアセンブリに関する。このフォームアセンブリは、独自サイズの複数の細長片を具備する、薄層状感圧性アセンブリを含み、この細長片は介護者によって容易に除去され、かつ患者に張付けされ得る。
【課題を解決するための手段】
【０００９】
本発明の典型的な一実施形態においては、医療用フォームアセンブリが提示され、かつ医療用フォームアセンブリは、横方向に伸長する第１および第２の縁部と長手方向に伸長する第１および第２の側部とを具備する長方形担体シートを含む。長方形シートは、上表面および下表面を具備する。
【００１０】
剥離剤コーティングが、長方形担体シートの上表面の実質的に全面にわたって適用され、かつ接着剤のパターンが、上縁部および底縁部を具備する少なくとも第１および第２の接着領域を形成するために、長方形シートの上表面上の剥離剤コーティング全面に適用される。第１および第２の剥離ゾーンが、少なくとも第１および第２の接着領域の各々の上縁部に沿って設けられる。
【００１１】
本実施形態の議論を継続すると、長方形の印刷可能なシートが、長方形担体シートの実質的に全面にわたって並置される。長方形の印刷可能なシートは、第１および第２の接着領域の各々の全面にわたって一連の取外し可能な細長片を形成するために、長手方向に伸長する第１および第２の、長方形担体シートの側部に実質的に平行に走る複数の切線を備えている。
【００１２】
横方向に伸長する複数の切線は、横方向に伸長する、長方形担体シートの縁部に実質的に平行に伸長する。横方向に伸長する切線の第１組は、第１接着領域の上縁部に沿う第１剥離ゾーンを画定し、かつ横方向に伸長する切線の第２組は、第２接着領域の上縁部に沿う第２剥離ゾーンを画定する。
【００１３】
本発明の更なる典型的な実施形態においては、医療器具の固定に使用するための感圧性薄層状アセンブリが説明され、かつこの感圧性薄層状アセンブリは、上面および底面、第１および第２の端部、ならびに第１および第２の側部を具備する第１シートを含む。剥離剤コーティングが、第１シートの上面全面にわたって適用され、かつ感圧性接着剤のパターンが、第１シートの上面上の剥離剤コーティング全面にわたって適用される。
【００１４】
本実施形態の説明を継続すると、第２シートが感圧性接着剤のパターン全面にわたって適用される。第２シートは、長手方向に伸長する複数のカットと、長手方向に伸長するカットに実質的に垂直に走る、横方向に伸長する一連のカットとを備えている。長手方向に伸長する複数のカットは、少なくとも第１および第２の寸法を有する、一連の第１および第２の取外し可能な細長片を画定する。第１の寸法は第１の幅および長さを有し、かつ第２の寸法は、第１の幅未満である第２の幅および長さを有する。
【００１５】
横方向に伸長する一連のカットは第１および第２の接着剤無しの領域を画定すると共に、第１の接着剤無しの領域は細長片の第１領域の前縁部を画定し、かつ第２の接着剤無しの領域は細長片の第２領域の前縁部を画定し、しかも細長片の第１および第２の領域は面積が実質的に等しい。
【００１６】
本発明の他の特徴および利点は、次の詳細な説明から当業者にとって明らかになるであろう。しかしながら、様々な実施形態および具体的な実施例の詳細な説明は、一方では本発明の好ましい他の実施形態を示してはいるが、それらは限定ではなく例証として与えられていることが理解されるはずである。本発明の範囲内で多くの変更および変形が、本発明の精神から逸脱することなくなされる可能性があるが、本発明はそのような全ての変形を含んでいる。
【００１７】
これらのことは、本発明の他の目的および利点と同様に、添付図面と関連して、本発明の典型的で好ましい本実施形態についての次のより詳細な説明を参照することにより、より完全に理解されかつ認識されるであろう。
【図面の簡単な説明】
【００１８】
【図１】本発明の医療用フォームアセンブリの正面図を示す。
【００１９】
【図１Ａ】中心ゾーンが複数の指引上げ剥離ゾーンを備えている、代替的構成を図示する。
【００２０】
【図２】本発明の医療用フォームアセンブリの断面立面図である。
【００２１】
【図３】感圧性薄層状フォームアセンブリの剥離領域を示す。
【００２２】
【図４】本発明の医療用フォームアセンブリの典型的な使用法を図示する。
【発明を実施するための形態】
【００２３】
本明細書で開示される装置および方法は、実施例として図面を参照しながら詳細に説明される。特に指定がなければ、図中の数字などは、図全体を通して同一の、または同様な、もしくは相当する要素を言及しているものとする。開示されかつ説明された実施例、配置、構成、部品、要素、装置、方法、材料などに対する変形が創造され、かつ特定の応用のために所望される可能性があることは、認識されるであろう。本開示においては、特定の形状、材料、技術、配置などのいかなる同一視も、提示された特定の実施例に関連するか、またはそのような形状、材料、技術、配置などの単なる一般的説明のいずれかである。特定の詳細または実施例の同一視は、特にそうであると指定されなければ、義務的または制限的と解釈されることを意図されておらず、かつ意図されるべきではない。電気的測定を用いて生物学的な有機体を生理学的にモニターするための装置および方法の選択例が以下に開示され、かつ図面を参照して詳細に説明される。
【００２４】
さて、図１を参照すると、図中で医療用フォームアセンブリは、符号１０に対する参照として大まかに描かれている。このフォームは、長手方向に伸長する第１および第２の側部１４、１６と横方向に伸長する第１および第２の端縁部１８、２０とを具備する長方形のシート１２を含む。長方形シート１２は、上表面および下表面１５、１７を具備する（図２参照）。剥離剤コーティング２２が、長方形シート１２の上表面１５の全面にわたって適用される。剥離剤コーティング２２は、シリコーンをベースにしたコーティングが好ましい。感圧性接着剤２４のパターンが、剥離剤コーティング２２の全面にわたって適用される。長方形の印刷可能なシート２６が、接着剤２４の全面にわたって適用される。
【００２５】
本発明での使用に適した感圧性接着剤は、永久的な、取外し可能な、取付け位置可変な、またはその他の接着剤、もしくはこれらの組合せを含み、その組合せは最終用途の応用の特別なニーズを満たし得る。例えば、取外し可能な接着剤は、静脈内の（ＩＶ）チューブのようなものに関して、医療用チューブの部分を患者の腕に固定するために使用してもよい。アセンブリは、単一タイプの接着剤を備えることが可能であり、またはその代わりに、異なった機能に対応するために異なったタイプの接着剤がそのフォームに適用され得ることは、理解されるべきである。例えば、ある種の取外し可能な細長片（それは本明細書で説明されるであろう）は、永久的な接着剤を備えることが可能であり、また他のタイプの取外し可能な細長片は取外し可能な接着剤を備えることが可能である。
【００２６】
印刷可能なシート２６は、長手方向に伸長する複数の切線２８、３０を備えており、これらの切線は長手方向に伸長する第１および第２の側部１４、１６に平行に走る。切線２８、３０はシートを個々の取外し可能な細長片３２、３４に区切るかまたは分け、これらの細長片は、細長片の裏面上にある接着剤を備えたアセンブリから解放される。細長片は長さおよび幅を有し、細長片３２、３４の長さは実質的に等しく、細長片の幅は異なっている。例えば、細長片の長さは５．２５インチの長さであってもよく、細長片３２の幅は約１．００インチであるのに対し、細長片３４の幅は約０．５０インチである。
【００２７】
印刷可能な、すなわち上部シート２６はまた、横方向に伸長する複数の切線３６、３８および３６'、３８'（図１参照）を備え、これらの切線は、長手方向に伸長する第１および第２の側部１４、１６と垂直に、かつ第１および第２の端部１８、２０と平行に走る。横方向に伸長する切線３６、３８は、シート２６を、実質的に等しい第１および第２の領域４０、４２に分割する。横方向に伸長する切線３６と３８との、および３６'と３８'との間隔は約０．２５インチである。横方向に伸長する切線３６と３８との、および３６'と３８'との間隔は剥離ゾーン３７、３７'を形成し、これらによって、細長片３２、３４をアセンブリ１０から除去することが容易となる。
【００２８】
トナーまたはインクがシートの表面に付着するのを助けるために、印刷可能なシート２６は、ポリビニルアルコールのような印刷バインダ材料で選択的に覆われることも可能である。加えて、潜在的な汚染を減少させるために、アセンブリ全体が抗菌材料で覆われるか、または抗菌材料を備えることが可能である。
【００２９】
印刷可能なシート２６は表示３３、３１を備えていてもよく、これによって、介護サービス提供者が患者を治療する際に使用する細長片を適切に選択することが補助される。例えば、細長片３１はチューブをＩＶバッグに取付けるために使用してもよいのに対し（図４参照）、細長片３３はＩＶチューブを患者の腕に取付けるために使用してもよい。それぞれ、患者の表示とバーコード１１および１３、または他の病院情報のような、他の情報がシート２６上に提供され得る。
【００３０】
剥離ゾーン３７、３７'、すなわち指引上げ部は、いずれも接着剤の無い領域である。すなわち、接着剤２４のパターンコーティングの間、剥離ゾーンの領域には接着剤が供給されず、幅が約０．２５インチ、長さが８．５インチの接着剤無しの領域が形成される。別の実施形態では、ゾーンは１０ｍｍの底部寸法および１２ｍｍの上部寸法を有する。代わりに、接着剤が提供される場合には、細長片３２および３４を取除く際に接着剤によって張力が生じないように、剥離ゾーンはコロナ処理などによって鈍化される。第１の剥離ゾーン３７'は第１領域４０の前縁部を形成するのに対し、第２の剥離ゾーン３７は第２領域４２の前縁部を形成する。
【００３１】
指引上げ領域３７および３７'は、そのフォーム自体から指引上げ領域の容易な分離を可能とするために、１つの縁部を通して穿孔されたカットを具備する。
【００３２】
一実施形態においては、指引上げ細長片は約１０ｍｍであり、かつ取外し可能な細長片３１、３３は約１６０ｍｍの寸法および１４８ｍｍの最終テープ寸法を有する（除去される指引上げ細長片を１２ｍｍとして１６０ｍｍ）。細長片は約２４ｍｍの幅を有する。図１Ａに示された代替構成における便宜のために、同様な参照符号が使用されている。
【００３３】
図１Ａに示された別の実施形態では、フォームが複数の取外し可能な細長片を備えており、このフォームの長さは、中央指引上げ領域を約２５ｍｍとして約３２０ｍｍであり、各中央指引上げ領域は約１２ｍｍの２つの部分に分離される。このような方法で、細長片は反対方向に除去することができる。指引上げが各端部にある代わりにこの方法では、指引上げは中央に配置されており、したがって、曲げることによって指引上げ領域が露出され、その部分をフォームから除去することができる。
【００３４】
第１領域４０および第２領域４２の各々は、同様な寸法の細長片３２、３４を等しい数だけ具備している。すなわち、細長片は全て５．２５インチの長さと、０．５０インチおよび１．００インチの幅を有している。
【００３５】
さて、図３を参照すると、剥離つまみ３７'を使用することによって、１つの取外し可能な細長片３２が剥がし取られている医療用フォームアセンブリ１０が図示されている。剥離つまみ３７'は、個々の細長片を画定する、長手方向に伸長する切線２８、３０を使用することによって、剥離ゾーンの残りの部分からはずれる。
【００３６】
さて、図４を参照すると、本発明を用いた典型的な方法が示されている。図４は、患者の腕５０の切取り図であり、腕には静脈点滴チューブ５１が接続されている。取外し可能な細長片５２、５２'は、チューブ５１を患者に固定するために腕５０に張付けられる。この例において、細長片５２および５２'は、取外し可能なまたは取付け位置可変な接着剤を備えていてもよく、それによって、治療の終了時またはＩＶバッグを変更する際に、細長片は患者から容易に除去することができる。細長片５２"はチューブ５１をＩＶバッグ５４に固定するが、これは、例えば永久的な接着剤を使用することによって達成され、その結果、チューブ５１はバッグ５４から分離されない。
【００３７】
したがって、本発明によれば、非常に有利な医療アセンブリが提供されたことが分かるであろう。現在最も実際的で最も好ましい実施形態と考えられるものに関連して本発明が説明されてきたが、本発明が開示された実施形態に限定されないこと、かつ本発明の範囲内で多くの変形および等価的配置がそれから創造され得ることは、当業者にとっては明らかであろう。本発明の範囲には、全ての等価的構造および製品を包含するように、添付された特許請求の範囲の最も広い解釈が与えられるべきである。
【図１】
2013518685.tif 000003
【図１Ａ】
2013518685.tif 000004
【図２】
2013518685.tif 000005
【図３】
2013518685.tif 000006
【図４】
2013518685.tif 000007
【国際調査報告】
2013518685.tif 000008
2013518685.tif 000009
2013518685.tif 000010